【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
他の端末とファイル及びコマンドの送受信を行うためにネットワークに接続するための接続手段と、
前記接続手段を介して転送依頼元端末より受信したファイルを蓄積する蓄積手段とを備え、
前記転送元端末からファイル及びファイルの転送先情報を受信した場合に、前記蓄積手段にファイルを蓄積すると共にファイルの転送先情報により特定される受信側端末へファイル転送可否を確認する確認手段と、
前記確認手段によるファイルの転送可否に対する応答として前記受信側端末からファイルの転送許可を受信した場合に、前記受信側端末に前記蓄積手段に蓄積されているファイルの転送を行う転送手段と、
を有することを特徴とするネットワークシステム。
【請求項２】
蓄積ファイルに対する受信側端末の応答及び転送状況を転送依頼元端末へ報告する制御手段を備えたことを特徴とする請求項１記載のネットワークシステム。
【請求項３】
前記制御手段は、前記受信側端末から前記通知手段によるファイルの転送可否に対する応答としてファイルの転送許可を受信した場合に、前記転送手段による転送を実行することを特徴とする請求項１記載のネットワークシステム。
【請求項４】
前記制御手段は、前記受信側端末から前記通知手段によるファイルの転送可否に対する応答としてファイルの転送許可を受信した場合に、その旨を前記転送依頼元端末に通知することを特徴とする請求項１または２記載のネットワークシステム。
【請求項５】
前記制御手段は、前記蓄積手段へ蓄積したファイルの前記受信側端末への転送完了後に、前記転送依頼元端末へ転送完了の通知をすることを特徴とする請求項１または２記載のネットワークシステム。
【請求項６】
前記制御手段は、前記受信側端末から前記通知手段によるファイルの転送可否に対する応答として転送保留を受信した場合に、前記転送手段による転送を保留し、その後、前記受信側端末から転送要求を受信したときに前記転送手段による転送を実行することを特徴とする請求項１記載のネットワークシステム。
【請求項７】
前記制御手段は、前記受信側端末から前記通知手段によるファイルの転送可否に対する応答として転送保留を受信した場合に、その旨を前記送信依頼元端末へ通知することを特徴とする請求項１または２記載のネットワークシステム。
【請求項８】
前記制御手段は、前記受信側端末から前記通知手段によるファイルの転送可否通知に対する応答として転送拒否を受けた場合に、その旨を前記送信依頼元端末へ通知することを特徴とする請求項１または２記載のネットワークシステム。
【請求項９】
前記蓄積手段に蓄積されたファイルの形式を変換する変換手段とを備え、
前記確認手段によるファイルの転送可否に対する応答として前記受信側端末から転送許可と共に転送するファイルの形式を受信した場合に、前記蓄積手段に蓄積したファイルを前記変換手段により指定された形式に変換し、前記転送手段が前記転送先に対して変換したファイルの転送を行うことを特徴とする請求項１記載のネットワークシステム。
【手続補正２】
【補正対象書類名】明細書
【補正対象項目名】０００８
【補正方法】変更
【補正の内容】
【０００８】
【課題を解決するための手段】
上記目的を達成するために請求項１記載のネットワークシステムは、他の端末とファイル及びコマンドの送受信を行うためにネットワークに接続するための接続手段と、前記接続手段を介して転送依頼元端末より受信したファイルを蓄積する蓄積手段とを備え、転送依頼元端末からファイル及びファイルの転送先情報を受信した場合に、前記蓄積手段にファイルを蓄積すると共にファイルの転送先情報により特定される受信側端末へファイル転送可否を確認する確認手段と、前記確認手段によるファイルの転送可否に対する応答として前記受信側端末からファイルの転送許可を受信した場合に、前記受信側端末に前記蓄積手段に蓄積されているファイルの転送を行う転送手段とを有することを特徴とする。
【手続補正３】
【補正対象書類名】明細書
【補正対象項目名】０００９
【補正方法】変更
【補正の内容】
【０００９】
請求項２記載の発明は、請求項１記載のネットワークシステムであって、蓄積ファイルに対する受信側端末の応答及び転送状況を転送依頼元端末へ報告する制御手段を備えたことを特徴とする。
【手続補正４】
【補正対象書類名】明細書
【補正対象項目名】００１０
【補正方法】変更
【補正の内容】
【００１０】
請求項３記載の発明は、請求項１記載のネットワークシステムであって、制御手段は、受信側端末から通知手段によるファイルの転送可否に対する応答としてファイルの転送許可を受信した場合に、転送手段による転送を実行することを特徴とする。
【手続補正５】
【補正対象書類名】明細書
【補正対象項目名】００１１
【補正方法】変更
【補正の内容】
【００１１】
請求項４記載の発明は、請求項１または２記載のネットワークシステムであって、制御手段は、受信側端末から通知手段によるファイルの転送可否に対する応答としてファイルの転送許可を受信した場合に、その旨を転送依頼元端末に通知することを特徴とする。
【手続補正６】
【補正対象書類名】明細書
【補正対象項目名】００１２
【補正方法】変更
【補正の内容】
【００１２】
請求項５記載の発明は、請求項１または２記載のネットワークシステムであって、制御手段は、蓄積手段へ蓄積したファイルの受信側端末への転送完了後に、転送依頼元端末へ転送完了を通知することを特徴とする。
【手続補正７】
【補正対象書類名】明細書
【補正対象項目名】００１３
【補正方法】変更
【補正の内容】
【００１３】
請求項６記載の発明は、請求項１記載のネットワークシステムであって、制御手段は、受信側端末から通知手段によるファイルの転送可否に対する応答として転送保留を受信した場合に、転送手段による転送を保留し、その後、受信側端末から転送要求を受信したときに転送手段による転送を実行することを特徴とする。
【手続補正８】
【補正対象書類名】明細書
【補正対象項目名】００１４
【補正方法】変更
【補正の内容】
【００１４】
請求項７記載の発明は、請求項１または２記載のネットワークシステムであって、制御手段は、受信側端末から通知手段によるファイルの転送可否に対する応答として転送保留を受信した場合に、その旨を送信依頼元端末へ通知することを特徴とする。
【手続補正９】
【補正対象書類名】明細書
【補正対象項目名】００１５
【補正方法】変更
【補正の内容】
【００１５】
請求項８記載の発明は、請求項１または２記載のネットワークシステムであって、制御手段は、受信側端末から通知手段によるファイルの転送可否通知に対する応答として転送拒否を受けた場合に、その旨を送信依頼元端末へ通知することを特徴とする。
【手続補正１０】
【補正対象書類名】明細書
【補正対象項目名】００１６
【補正方法】変更
【補正の内容】
【００１６】
請求項９記載の発明は、請求項１記載のネットワークシステムであって、蓄積手段に蓄積されたファイルの形式を変換する変換手段とを備え、確認手段によるファイルの転送可否に対する応答として受信側端末から転送許可と共に転送するファイルの形式を受信した場合に、蓄積手段に蓄積したファイルを変換手段により指定された形式に変換し、転送手段が転送先に対して変換したファイルの転送を行うことを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】